(57)【要約】【課題】主に各種電子機器の操作に用いられるスイッチ装置及びこれを用いたリモコン送信機に関し、高精度な操作が可能なものを提供することを目的とする。【解決手段】操作体１６に連動して回転する駆動体１７を設けると共に、この駆動体１７の回転によってスイッチ１２の電気的接離を行うことによって、操作体１６の回転に対して多くのスイッチ１２の電気的接離が行われるため、操作体１６の細かな操作角度の検出ができ、高精度な操作位置の検出が可能なスイッチ装置、及びこれを用いたリモコン送信機を得ることができる。【選択図】図１
2006252912.tif 000002
【特許請求の範囲】
【請求項１】
回転操作可能な操作体と、この操作体に連動して回転する駆動体と、この駆動体の回転に応じて電気的接離を行うスイッチからなり、上記スイッチの電気的接離から上記操作体の操作位置を検出するスイッチ装置。
【請求項２】
スイッチを駆動体の内周に配置した請求項１記載のスイッチ装置。
【請求項３】
請求項１記載のスイッチ装置と、このスイッチ装置のスイッチに接続された制御手段からなり、上記制御手段が上記スイッチの電気的接離に応じて、送信手段からリモコン信号を送信するリモコン送信機。
【発明の詳細な説明】
【技術分野】
【０００１】
本発明は、主に各種電子機器の操作に用いられるスイッチ装置及びこれを用いたリモコン送信機に関するものである。
【背景技術】
【０００２】
近年、映像や音響、空調等の各種電子機器の高機能化が進むなか、これらを操作するスイッチ装置やリモコン送信機においても、多様で高精度な操作が可能なものが求められている。
【０００３】
このような従来のスイッチ装置について、図４を用いて説明する。
【０００４】
図４は従来のスイッチ装置の斜視図であり、同図において、１は上下面に複数の配線パターン（図示せず）が形成された配線基板、２は配線基板１上面に回転可能に装着された略円盤状の操作体で、操作体２の外周には外方へ突出する複数のカム部３が、所定間隔で形成されている。
【０００５】
また、４はレバー５が絶縁樹脂製のケース６から揺動可能に突出したスイッチで、このスイッチ４は、レバー５が左右へ揺動することによって、ケース６内に収納された可動接片（図示せず）が複数の固定接片（図示せず）と接離し、その電気信号が端子部から出力されるように形成されている。
【０００６】
なお、スイッチ４は、レバー５を左右いずれかへ揺動操作した後、操作力を除くと、ケース６内に装着されたばね（図示せず）等によって、元の中立位置へ自然復帰する、所謂、中立復帰型のものとなっている。
【０００７】
さらに、スイッチ４はレバー５が操作体２のカム部３と係合するように、配線基板１上面の操作体２外周に載置されると共に、端子部が所定の配線パターンに半田付けされ、マイコン等の電子部品によって形成された制御手段（図示せず）に接続されて、スイッチ装置が構成されている。
【０００８】
そして、このように構成されたスイッチ装置は、操作体２が機器の操作部から突出して電子機器やリモコン送信機に装着され、配線基板１の配線パターンがコネクタ等によって機器の電子回路に電気的に接続される。
【０００９】
以上の構成において、操作体２を時計方向または反時計方向へ回転操作すると、操作体２の回転に伴って、下方外周のカム部３Ａまたは３Ｂがスイッチ４のレバー５に当接し、レバー５が左または右方向へ揺動して、可動接片と固定接片との電気的接離が行われる。
【００１０】
なお、この時、操作した回転角度が大きな場合、例えば操作体２を時計方向へ大きく回転操作した場合には、スイッチ４のレバー５は、先ずカム部３Ａに押圧されて左方向へ揺動した後、いったん元の中立位置へ自動復帰し、その後、カム部３Ｃに押圧されて再び左方向へ揺動するため、スイッチ４の電気的接離は２回行われる。
【００１１】
また、これらの電気信号が複数の端子部から制御手段へ出力され、レバー５が左右いずれの方向へ何回揺動操作され、スイッチ４の電気的接離が何回あったかによって、制御手段が操作体２の回転方向と回転角度を検出し、操作体２の操作位置の検出が行われる。
【００１２】
そして、この操作体２の回転操作に応じて、例えば、テレビやオーディオ、エアコン等の音量・温度の増減や、選局等が切換えられるように構成されているものであった。
【００１３】
なお、この出願の発明に関連する先行技術文献情報としては、例えば、特許文献１が知られている。
【特許文献１】特開２００５−３２４５０号公報
【発明の開示】
【発明が解決しようとする課題】
【００１４】
しかしながら、上記従来のスイッチ装置においては、回転操作を行う操作体２の外周に設けられたカム部３Ａや３Ｂによって、スイッチ４を揺動操作して操作体２の回転方向と回転角度を検出しているが、これらのカム部３Ａと３Ｂはその間にスイッチ４のレバー５が配置され、レバー５の幅以下の間隔には形成できないため、例えば、外周から外方へ突出する複数のカム部３を３０度間隔で形成した場合、操作体２の回転角度の検出も３０度間隔でしかできず、細かな操作体２の操作位置の検出が困難であるという課題があった。
【００１５】
本発明は、このような従来の課題を解決するものであり、操作体の細かな操作位置の検出ができ、高精度な操作が可能なスイッチ装置、及びこれを用いたリモコン送信機を提供することを目的とする。
【課題を解決するための手段】
【００１６】
上記目的を達成するために本発明は、以下の構成を有するものである。
【００１７】
本発明の請求項１に記載の発明は、操作体に連動して回転する駆動体を設けると共に、この駆動体の回転によってスイッチの電気的接離を行うようにしてスイッチ装置を構成したものであり、例えば、操作体外周と駆動体外周に噛合する歯車を設け、操作体の１回転に対し駆動体が数回転するように形成することによって、操作体の１回転に対して多くのスイッチの電気的接離が行われるため、操作体の細かな操作角度の検出ができ、高精度な操作位置の検出が可能なスイッチ装置を得ることができるという作用を有する。
【００１８】
請求項２に記載の発明は、請求項１記載の発明において、スイッチを駆動体の内周に配置したものであり、駆動体外周に配置する場合に比べ、全体の形状を小さくし、装置の小型化を図ることができるという作用を有する。
【００１９】
請求項３に記載の発明は、請求項１記載のスイッチ装置のスイッチに制御手段を接続し、制御手段がスイッチの電気的接離に応じて、送信手段からリモコン信号を送信するようにしてリモコン送信機を構成したものであり、操作体の細かな操作位置の検出ができ、高精度な操作が可能なリモコン送信機を実現することができるという作用を有する。
【発明の効果】
【００２０】
以上のように本発明によれば、操作体の細かな操作位置の検出ができ、高精度な操作が可能なスイッチ装置、及びこれを用いたリモコン送信機を実現できるという有利な効果が得られる。
【発明を実施するための最良の形態】
【００２１】
以下、本発明の実施の形態について、図１〜図３を用いて説明する。
【００２２】
（実施の形態）
図１は本発明の一実施の形態によるリモコン送信機の断面図、図２は同分解斜視図、図３は同部分斜視図であり、同図において、１１は紙フェノールやガラス入りエポキシ等の配線基板で、上下面に銅箔等によって複数の配線パターン（図示せず）が形成されると共に、配線基板１１の上面左方にはスイッチ１２が実装載置されている。
【００２３】
そして、このスイッチ１２は図３に示すように、絶縁樹脂製のケース１３から揺動可能に突出したレバー１４が左右へ揺動することによって、ケース１３内に収納された可動接片（図示せず）が複数の固定接片（図示せず）と接離し、その電気信号が複数の端子部から出力されるように形成されている。
【００２４】
なお、スイッチ１２は、レバー１４を左右いずれかへ揺動操作した後、操作力を除くと、ケース１３内に装着されたばね（図示せず）等によって、元の中立位置へ自動復帰する、所謂、中立復帰型のものとなっている。
【００２５】
また、１５は略箱状でポリスチレンやＡＢＳ等の絶縁樹脂製の筺体、１６は同じく絶縁樹脂製で略円筒状の操作体で、筺体１５上面の開口孔から操作体１６上面が回転可能に突出すると共に、操作体１６の外周下方には歯車部１６Ａが形成されている。
【００２６】
そして、１７は絶縁樹脂製で略円盤状の駆動体で、外周上方には操作体１６の歯車部１６Ａに比べ歯数の少ない歯車部１７Ａが形成され、この歯車部１７Ａが歯車部１６Ａに噛合して、操作体１６の回転に連動して駆動体１７が回転するように形成されている。
【００２７】
さらに、スイッチ１２が駆動体１７の内周に配置されると共に、駆動体１７内縁側面に所定間隔で内方へ突出形成された、複数のカム部１７Ｂにレバー１４が係合し、駆動体１７の回転に応じてスイッチ１２の電気的接離が行われるようにして、スイッチ装置１８が構成されている。
【００２８】
また、１９はゴムやエラストマ―等のシート状の押圧体で、配線基板１１上面に載置され、中央や右方には下方に略ドーム状の薄肉部を有する複数のキー２０が設けられると共に、このキー２０下面にはカーボン等によって可動接点２１が形成されている。
【００２９】
そして、配線基板１１上面中央や右方には、これらの可動接点２１と所定の間隙を空けて対向する複数の固定接点２２が、カーボン等によって形成されると共に、配線基板１１下面には、発光ダイオード等の電子部品によってリモコン信号を送信する送信手段２３や、配線パターンを介してスイッチ１２の端子部や固定接点２２に接続された、マイコン等の制御手段２４が形成されている。
【００３０】
さらに、操作体１６上面にはカバー２５が装着され、下面を保持体２６が覆うと共に、配線基板１１上面中央の固定接点２２上には傾倒体２７が配置され、押圧体１９の左方には覆体２８が配置されて、リモコン送信機が構成されている。
【００３１】
以上の構成において、スイッチ装置１８の操作体１６を時計方向または反時計方向へ回転操作すると、図３に示すように、操作体１６の回転に伴って、歯車部１６Ａに歯車部１７Ａが噛合した駆動体１７も連動して回転し、内縁側面に突出形成された複数のカム部１７Ｂがスイッチ１２のレバー１４に当接し、レバー１４が右または左方向へ揺動して、スイッチ１２内の可動接片と固定接片との電気的接離が行われる。
【００３２】
なお、この時、操作した回転角度が大きな場合、例えば操作体１６を時計方向へ大きく回転操作した場合には、スイッチ１２のレバー１４は、先ずひとつめのカム部１７Ｂに押圧されて右方向へ揺動した後、いったん元の中立位置へ自動復帰し、その後、次のカム部１７Ｂに押圧されて再び右方向へ揺動して、電気的接離が２回行われる。
【００３３】
そして、このスイッチ１２の電気信号がスイッチ１２の複数の端子部から制御手段２４へ出力され、レバー１４が左右いずれの方向へ何回揺動操作され、電気的接離が何回あったかによって、制御手段２４が操作体１６の回転方向と回転角度を検出して、操作体１６の操作位置の検出が行われる。
【００３４】
また、この時、スイッチ１２のレバー１４を揺動操作させる駆動体１７の複数のカム部１７Ｂは、その間にレバー１４を配置する必要があるため、レバー１４の幅以下の間隔では形成できないが、この駆動体１７の歯車部１７Ａは、噛合した操作体１６の歯車部１６Ａに比べ歯数が少なく形成されており、操作体１６に対して操作体１７が多く回転するように構成されている。
【００３５】
従って、例えば、複数のカム部１７Ｂを３０度間隔、歯車部１７Ａを歯車部１６Ａの半分の歯数で形成した場合、駆動体１７の１回転に対しスイッチ１２の電気的接離は１２回行われるが、操作体１６の１回転に対し駆動体１７は２回転するため、操作体１６の１回転に対してスイッチ１２の電気的接離は２４回行われることになり、操作体１６の１５度間隔での回転角度検出が可能となる。
【００３６】
つまり、操作体１６に連動して回転する駆動体１７を設けると共に、操作体１６の１回転に対し駆動体１７を数回転させ、この駆動体１７のカム部１７Ｂでスイッチ１２の電気的接離を行うことによって、操作体１６の１回転に対して多くのスイッチ１２の電気的接離が得られるため、操作体１６の細かな操作角度に検出ができ、高精度な操作位置の検出が可能なように形成されている。
【００３７】
そして、この操作体１７の回転操作によるスイッチ１２の電気的接離に応じて、制御手段２４が送信手段２３から赤外線のリモコン信号を送信し、例えば、テレビやビデオ等の画面の拡大や縮小、テープの早送りや巻戻し、或いは画面に表示されたカーソルの移動等が遠隔操作によって行われる。
【００３８】
また、リモコン送信機の所定のキー２０を押圧操作、或いは傾倒体２７を傾倒操作すると、略ドーム状の薄肉部が弾性変形して可動接点２１が下方へ移動し、固定接点２２と接触して、複数の固定接点２２の電気的接離が行われ、これら固定接点２２の電気的接離に応じて、制御手段２４が送信手段２３から所定の赤外線のリモコン信号を送信し、例えば、オーディオ、エアコン等の音量・温度の増減や、選局切換え等が行われる。
【００３９】
このように本実施の形態によれば、操作体１６に連動して回転する駆動体１７を設けると共に、この駆動体１７の回転によってスイッチ１２の電気的接離を行うことによって、操作体１６の１回転に対して多くのスイッチ１２の電気的接離が行われるため、操作体１６の細かな操作角度の検出ができ、高精度な操作位置の検出が可能なスイッチ装置、及びこれを用いたリモコン送信機を得ることができるものである。
【００４０】
また、スイッチ１２を駆動体１７の内周に配置することによって、駆動体１７外周に配置する場合に比べ、全体の形状を小さく、装置の小型化を図ることができると共に、スイッチ１２の防塵性や防水性を高めることもできる。
【００４１】
なお、以上の説明では、操作体１６と駆動体１７の外周に歯車部１６Ａと１７Ａを形成し、これらを噛合させて操作体１６に連動して駆動体１７を回転させる構成について説明したが、操作体１６や駆動体１７の外周に摩擦の大きなゴム等の弾性部を設け、これを圧接させて連動させたり、或いは、操作体１６と駆動体１７をゴムベルト等で連結させて連動させたりする構成としても、本発明の実施は可能である。
【００４２】
また、スイッチ１２も、上記のようにレバー１４が揺動して内部の電気的接離が行われるもののほか、押圧操作やスライド操作等、駆動体１７の回転に応じてスイッチの電気的接離が繰返されるものであれば、様々な操作方式や形状のものにおいて実施が可能である。
【産業上の利用可能性】
【００４３】
本発明によるスイッチ装置及びこれを用いたリモコン送信機は、操作体の細かな操作角度の検出ができ、高精度な操作位置の検出が可能なものが得られ、主に各種電子機器の操作用として有用である。
【図面の簡単な説明】
【００４４】
【図１】本発明の一実施の形態によるリモコン送信機の断面図
【図２】同分解斜視図
【図３】同スイッチ装置の部分斜視図
【図４】従来のスイッチ装置の斜視図
【符号の説明】
【００４５】
１１  配線基板
１２  スイッチ
１３  ケース
１４  レバー
１５  筐体
１６  操作体
１６Ａ  歯車部
１７  駆動体
１７Ａ  歯車部
１７Ｂ  カム部
１８  スイッチ装置
１９  押圧体
２０  キー
２１  可動接点
２２  固定接点
２３  送信手段
２４  制御手段
２５  カバー
２６  保持体
２７  傾倒体
２８  覆体
【図１】
2006252912.tif 000003
【図２】
2006252912.tif 000004
【図３】
2006252912.tif 000005
【図４】
2006252912.tif 000006